(57)【要約】【課題】インピーダンス整合に好適な構造を有する内導体端子、連鎖端子、及び、同軸ケーブルと内導体端子との圧着接続方法を提供する。【解決手段】同軸ケーブル３１の端末には、同軸コネクタの一構成部材となる内導体端子３２が圧着接続されている。圧着接続部分３３には、この圧着接続部分３３のインピーダンスを、できるだけ同軸ケーブル３１のインピーダンスに近づけるための端子フェルール３４が後付けにより設けられている。端子フェルール３４は、インピーダンス整合部として機能するようになっている。連鎖端子４２は、複数の内導体端子３２の各芯線圧着部４１側がキャリア４３に連結された状態に形成されている。連鎖端子４２は、複数の内導体端子３２が並列に横連鎖するような状態に形成されている。キャリア４３には、端子フェルール３４が形成されている。【選択図】図１
2009224079.tif 000002
【特許請求の範囲】
【請求項１】
同軸ケーブルの芯線に圧着接続する部分としての芯線圧着部を有し、圧着接続後の前記芯線圧着部にはインピーダンス整合部を設ける同軸コネクタ用の内導体端子において、
前記インピーダンス整合部を、連鎖端子におけるキャリアの一部を切り取り曲げ加工を施して後付けする端子フェルールとする
ことを特徴とする内導体端子。
【請求項２】
内導体端子の芯線圧着部側をキャリアに連結して前記内導体端子を並列に横連鎖させてなる連鎖端子において、
前記キャリアに、圧着接続後の前記芯線圧着部に対しインピーダンス整合部として後付けするための端子フェルールを形成する
ことを特徴とする連鎖端子。
【請求項３】
アンビルと、クリンパと、上向きに付勢されるシャーブレードとを含み、該シャーブレードは、水平方向のキャリア用溝を有するシャーブレード本体と、上下一対の曲げ型とを備え、前記シャーブレード本体には、この上面と前記キャリア用溝とを連通し且つ下側の前記曲げ型を収容するための穴部を形成する一方、上側の前記曲げ型を前記穴部の上方に配置し、このような構成の端子圧着装置を用いて行う工程として、
連鎖端子における内導体端子の芯線圧着部と、同軸ケーブルの芯線とを前記アンビル及び前記クリンパによって圧着接続すると同時に、前記シャーブレード本体を降下させて前記内導体端子とキャリアとの連結部を切断し、且つ前記キャリア用溝に前記キャリアを残す第一工程と、
圧着接続後の前記内導体端子を前記シャーブレード本体の前記上面に移動させるとともに、前記芯線圧着部を前記穴部の位置にセットする第二工程と、
前記シャーブレード本体を降下させて前記キャリアに予め形成した端子フェルールを切り取ると同時に、上下一対の前記曲げ型によって曲げ加工を施しつつ前記端子フェルールを前記芯線圧着部に対し後付けする第三工程と、
を含む
ことを特徴とする同軸ケーブルと内導体端子との圧着接続方法。
【発明の詳細な説明】
【技術分野】
【０００１】
本発明は、同軸コネクタ用の内導体端子、この内導体端子を並列に横連鎖させてなる連鎖端子、及び、同軸ケーブルと内導体端子との圧着接続方法に関する。
【背景技術】
【０００２】
内部導体として芯線を有し、且つ外部導体として編組を有する同軸ケーブルの端末に同軸コネクタを設ける場合、同軸ケーブルの芯線と同軸コネクタの内導体端子との圧着接続部分のインピーダンスを、できるだけ同軸ケーブルのインピーダンスに近づけることが重要になっている。
【０００３】
下記特許文献１の開示技術にあっては、図７に示す如く、同軸ケーブル１の芯線２と、同軸コネクタを構成する内導体端子３とを圧着接続し、この後、圧着接続部分４に、内側に導電層を有する熱収縮成形品５を挿入し、そして、この熱収縮成形品５を加熱収縮させることによりインピーダンス整合部６を形成するような工夫がなされている。
【０００４】
ここで、端子の一般的な圧着接続に関して説明をする。従来の端子の圧着接続は、例えば下記特許文献２に開示されている。図８及び図９において、端子圧着装置１１は、シャーブレード１２によって連鎖端子１３のキャリア１４を切断するような構成になっている。シャーブレード１２は、バネ１５により上向きに付勢されている。シャーブレード１２には、キャリア１４を挿通するための水平方向の溝１６が形成されている。溝１６の上縁には、刃部１７、１８が形成されている。図１０において、連鎖端子１３は、複数の端子１９の圧着片２０側の後端がキャリア１４に連結されており、複数の端子１９が並列に横連鎖するような状態で形成されている。
【０００５】
上記構成において、端子圧着装置１１のアンビル２１とクリンパ２２との間で端子１９を電線に圧着接続させると同時に、シャーブレード１２を押圧降下させ、シャーブレード１２の正面側の刃部１７とクリンパ２２側の固定刃２３とでキャリア１４の連結部２４を剪断すると、端子１９がキャリア１４から分離する。この時、シャーブレード１２の側面側の刃部１８と側方の固定刃２５とでキャリア１４がチップ状に切断される（チップカス２６参照）。連鎖端子１３は、キャリア１４の孔２７に送り爪２８を係合させることによって送り出されるようになっている。
【特許文献１】特開２００１−１８５３０２号公報
【特許文献２】特開平８−１６２２４８号公報
【発明の開示】
【発明が解決しようとする課題】
【０００６】
特許文献１の開示技術にあっては、熱収縮成形品５が別部品で必要になり、また、熱収縮成形品５は内側に導電層を有して熱収縮する構造を必須とすることから、これらがコスト高の要因となっている。また、熱収縮成形品５を挿入する工程と、加熱収縮させる工程とを必要とすることから、工数面や装置構成面においても影響を来している。さらに、内導体端子３の先端側（相手側端子との接続側）を通過させることができるだけの大きさに熱収縮成形品５を形成する必要があることから、熱収縮成形品５は収縮前の状態が比較的大きなものとなっている。
【０００７】
本発明は、上記した事情に鑑みてなされたもので、インピーダンス整合に好適な構造を有する内導体端子、連鎖端子、及び、同軸ケーブルと内導体端子との圧着接続方法を提供することを課題とする。
【課題を解決するための手段】
【０００８】
上記課題を解決するためになされた請求項１記載の本発明の内導体端子は、同軸ケーブルの芯線に圧着接続する部分としての芯線圧着部を有し、圧着接続後の前記芯線圧着部にはインピーダンス整合部を設ける同軸コネクタ用の内導体端子において、前記インピーダンス整合部を、連鎖端子におけるキャリアの一部を切り取り曲げ加工を施して後付けする端子フェルールとすることを特徴としている。
【０００９】
このような特徴を有する本発明によれば、キャリアを利用して端子フェルールを形成し、この端子フェルールを圧着接続後の芯線圧着部に曲げ加工によって後付けする。端子フェルールは内導体端子に対して別部品になるものの、これらは同じ連鎖端子に形成されることから、圧着接続後の芯線圧着部に対するインピーダンス整合部の形成は容易となる。
【００１０】
上記課題を解決するためになされた請求項２記載の本発明の連鎖端子は、内導体端子の芯線圧着部側をキャリアに連結して前記内導体端子を並列に横連鎖させてなる連鎖端子において、前記キャリアに、圧着接続後の前記芯線圧着部に対しインピーダンス整合部として後付けするための端子フェルールを形成することを特徴としている。
【００１１】
このような特徴を有する本発明によれば、内導体端子と端子フェルールとを有する連鎖端子になる。連鎖端子は、キャリアに端子フェルールを形成する分だけ歩留まりが向上する。端子フェルールは、内導体端子の近くに形成されることから、圧着接続後の芯線圧着部に対するインピーダンス整合部の形成は容易となる。端子フェルールは、内導体端子に対し別々に部品管理されるものでなく、従って、専用の保管スペースは不要である。
【００１２】
上記課題を解決するためになされた請求項３記載の本発明の同軸ケーブルと内導体端子との圧着接続方法は、アンビルと、クリンパと、上向きに付勢されるシャーブレードとを含み、該シャーブレードは、水平方向のキャリア用溝を有するシャーブレード本体と、上下一対の曲げ型とを備え、前記シャーブレード本体には、この上面と前記キャリア用溝とを連通し且つ下側の前記曲げ型を収容するための穴部を形成する一方、上側の前記曲げ型を前記穴部の上方に配置し、このような構成の端子圧着装置を用いて行う工程として、連鎖端子における内導体端子の芯線圧着部と、同軸ケーブルの芯線とを前記アンビル及び前記クリンパによって圧着接続すると同時に、前記シャーブレード本体を降下させて前記内導体端子とキャリアとの連結部を切断し、且つ前記キャリア用溝に前記キャリアを残す第一工程と、圧着接続後の前記内導体端子を前記シャーブレード本体の前記上面に移動させるとともに、前記芯線圧着部を前記穴部の位置にセットする第二工程と、前記シャーブレード本体を降下させて前記キャリアに予め形成した端子フェルールを切り取ると同時に、上下一対の前記曲げ型によって曲げ加工を施しつつ前記端子フェルールを前記芯線圧着部に対し後付けする第三工程と、を含むことを特徴としている。
【００１３】
このような特徴を有する本発明によれば、内導体端子の芯線圧着部と同軸ケーブルの芯線とを圧着接続し、この後にシャーブレード本体の上面において、シャーブレードの構成により、端子フェルールを圧着接続後の芯線圧着部に対し曲げ加工によって後付けする。本発明によれば、連鎖端子のキャリアに端子フェルールを形成するとともに、端子圧着装置のシャーブレードの構成及び構造を一般的な装置に対し若干変更するだけで、圧着接続後の芯線圧着部に対するインピーダンス整合部の形成が容易となる。
【発明の効果】
【００１４】
本発明によれば、コスト高にならず、むしろコスト低減に寄与し、工数面や装置構成面においても良好であることから、インピーダンス整合に好適な構造を有する内導体端子、連鎖端子、及び、同軸ケーブルと内導体端子との圧着接続方法を提供することができるという効果を奏する。
【発明を実施するための最良の形態】
【００１５】
以下、図面を参照しながら説明する。図１は本発明の一実施の形態を示す図であり、（ａ）は同軸ケーブルの芯線に圧着接続された本発明の内導体端子の斜視図、（ｂ）は本発明の連鎖端子の斜視図である。
【００１６】
図１（ａ）において、同軸ケーブル３１の端末には、同軸コネクタの一構成部材となる内導体端子３２が圧着接続されている。圧着接続部分３３には、この圧着接続部分３３のインピーダンスを、できるだけ同軸ケーブル３１のインピーダンスに近づけるための端子フェルール３４が後付けにより設けられている。端子フェルール３４は、インピーダンス整合部として機能するようになっている。
【００１７】
同軸ケーブル３１は、公知のものであって、内部導体として芯線３５と、誘電体としての絶縁体３６と、外部導体としての金属テープ導体３７及び編組３８と、外皮としての絶縁シース３９とを中心から順に備えて構成されている。
【００１８】
図１（ａ）及び（ｂ）において、内導体端子３２は、導電性を有する金属製の部材であって、電気接触部４０と、この電気接触部４０に連続する芯線圧着部４１とを有している。芯線圧着部４１は、一対の加締め片となる形状に形成されており、芯線３５を加締めによって圧着接続することができるようになっている。内導体端子３２は、芯線３５との圧着接続前は連鎖端子４２に設けられている。
【００１９】
連鎖端子４２は、導電性を有する金属薄板をプレス加工することにより形成されている。連鎖端子４２は、複数の内導体端子３２の各芯線圧着部４１側がキャリア４３に連結された状態に形成されている。連鎖端子４２は、複数の内導体端子３２が並列に横連鎖するような状態に形成されている。引用符号４４は内導体端子３２とキャリア４３とを繋ぐ連結部を示している。
【００２０】
キャリア４３は、帯状に形成されている。キャリア４３には、送り出し用の孔４５が形成されている。また、キャリア４３には、後にインピーダンス整合部として機能する端子フェルール３４が形成されている。端子フェルール３４は、一つの内導体端子３２に対して一つ存在するように形成されている。端子フェルール３４は、内導体端子３２の中心軸に対して左右対称となるような短冊形状に形成されている。端子フェルール３４は、向かい合う二つのコ字状のスリットによって短冊形状に形成されている。
【００２１】
次に、図２ないし図６を参照しながら本発明の同軸ケーブル３１と内導体端子３２との圧着接続方法に関する説明をする。図２（ａ）はシャーブレード本体の斜視図、図２（ｂ）はシャーブレード本体の断面図である。また、図３（ａ）は第一工程を示す断面図、図３（ｂ）は第二工程を示す断面図である。図４ないし図６は第三工程を示す図であり、図４は端子フェルールと下側の曲げ型とを示す斜視図、図５は下側の曲げ型によって端子フェルールに曲げを施す状態を示す斜視図、図６はシャーブレード本体の上面において上側の曲げ型によって端子フェルールに曲げを施す状態を示す斜視図である。
【００２２】
圧着接続に用いられる端子圧着装置は、アンビルと、クリンパと、上向きに付勢されるシャーブレードとを含んで構成されている。尚、ここでの説明は主要構成のみであり、他の構成は従来の端子圧着装置と基本的に同じであるものとする。
【００２３】
図２において、シャーブレード５１は、シャーブレード本体５２と、下側の曲げ型５３と、上側の曲げ型５４（図３参照）とを備えている。シャーブレード本体５２は、バネ５５により上向きに付勢されている。シャーブレード本体５２には、キャリア４３を挿通するための水平方向のキャリア用溝５６が形成されている。キャリア用溝５６の上縁には、刃部５７、５８が形成されている。
【００２４】
シャーブレード本体５２には、この上面５９とキャリア用溝５６とを連通し且つ下側の曲げ型５３を収容するための穴部６０が形成されている。穴部６０は、キャリア用溝５６に挿通されたキャリア４３の端子フェルール３４（図４参照）の位置に合わせて形成されている。
【００２５】
図３において、シャーブレード本体５２は、シャーブレード押圧部６１によって押圧されると、バネ５５の付勢力に抗しながら降下するようになっている。このようなシャーブレード本体５２の近傍には、アンビル６２とクリンパ６３とが設けられている。穴部６０の上方には、上側の曲げ型５４が配置されている。
【００２６】
端子圧着装置を用いて行う第一工程としては、連鎖端子４２における内導体端子３２の芯線圧着部４１と、同軸ケーブル３１の芯線３５とをアンビル６２及びクリンパ６３によって圧着接続することを行う。また、これと同時にシャーブレード本体５２をシャーブレード押圧部６１によって降下させて内導体端子３２とキャリア４３との連結部４４を切断することを行う。この時、キャリア用溝５６には、キャリア４３が残るものとする（図３（ａ）参照）。
【００２７】
第二工程としては、圧着接続後の内導体端子３２をシャーブレード本体５２の上面５９側に移動させるとともに、芯線圧着部４１を穴部６０の位置にセットすることを行う（図３（ｂ）参照）。
【００２８】
第三工程としては、シャーブレード本体５２をシャーブレード押圧部６１によって降下させてキャリア４３の端子フェルール３４（図４参照）を切り取ると同時に、下側の曲げ型５３と上側の曲げ型５４とによって曲げ加工を施しつつ端子フェルール３４を芯線圧着部４１に対して後付けすることを行う（図４ないし図６参照。後述する）。これにより、図１（ａ）に示す如く端子フェルール３４を後付けした状態の内導体端子３２が同軸ケーブル３１の端末に設けられる。
【００２９】
図４において、端子フェルール３４の下側には、下側の曲げ型５３が配置され、図３（ｂ）及び図５に示す如くシャーブレード本体５２が降下すると、端子フェルール３４はこの下側から下側の曲げ型５３によって曲げ加工が施され、そして、図６に示す如くシャーブレード本体５２における上面５９の位置で上側の曲げ型５４（及び下側の曲げ型５３）により更に曲げ加工が施される。これにより、端子フェルール３４が巻き付くような状態で後付けされる。
【００３０】
以上、図１ないし図６を参照しながら説明してきたように、本発明によれば、連鎖端子４２のキャリア４３を利用して端子フェルール３４を形成し、この端子フェルール３４を圧着接続後の芯線圧着部４１（圧着接続部分３３）に曲げ加工によって後付けする構造及び方法であることから、インピーダンス整合部の形成は従来よりも格段に容易となる。また、連鎖端子４２における内導体端子３２の近傍に端子フェルール３４を形成する構造であることから、この配置面でもインピーダンス整合部の形成は従来よりも格段に容易となる。連鎖端子４２は、キャリア４３に端子フェルール３４を形成する分だけ歩留まりが向上する。
【００３１】
従って、本発明によればインピーダンス整合に好適な構造を有する内導体端子３２、連鎖端子４２、及び、同軸ケーブル３１と内導体端子３２との圧着接続方法を提供することができるという効果を奏する。
【００３２】
本発明は本発明の主旨を変えない範囲で種々変更実施可能なことは勿論である。
【図面の簡単な説明】
【００３３】
【図１】本発明の一実施の形態を示す図であり、（ａ）は同軸ケーブルの芯線に圧着接続された本発明の内導体端子の斜視図、（ｂ）は本発明の連鎖端子の斜視図である。
【図２】本発明の同軸ケーブルと内導体端子との圧着接続方法に係る図であり、（ａ）はシャーブレード本体の斜視図、（ｂ）はシャーブレード本体の断面図である。
【図３】本発明の同軸ケーブルと内導体端子との圧着接続方法に係る図であり、（ａ）は第一工程を示す断面図、（ｂ）は第二工程を示す断面図である。
【図４】第三工程を示す図であり、端子フェルールと下側の曲げ型とを示す斜視図である。
【図５】第三工程を示す図であり、下側の曲げ型によって端子フェルールに曲げを施す状態を示す斜視図である。
【図６】第三工程を示す図であり、シャーブレード本体の上面において上側の曲げ型によって端子フェルールに曲げを施す状態を示す斜視図である。
【図７】従来例の同軸ケーブルと内導体端子との圧着接続方法に係るである。
【図８】従来例の端子圧着装置を示す図である。
【図９】図８の端子圧着装置のシャーブレードを示す図である。
【図１０】図８の連鎖端子の平面図である。
【符号の説明】
【００３４】
３１  同軸ケーブル
３２  内導体端子
３３  圧着接続部分
３４  端子フェルール
３５  芯線
３８  編組
４０  電気接触部
４１  芯線圧着部
４２  連鎖端子
４３  キャリア
４４  連結部
５１  シャーブレード
５２  シャーブレード本体
５３  下側の曲げ型
５４  上側の曲げ型
５５  バネ
５６  キャリア用溝
５９  上面
６０  穴部
６１  シャーブレード押圧部
６２  アンビル
６３  クリンパ
【図１】
2009224079.tif 000003
【図２】
2009224079.tif 000004
【図３】
2009224079.tif 000005
【図４】
2009224079.tif 000006
【図５】
2009224079.tif 000007
【図６】
2009224079.tif 000008
【図７】
2009224079.tif 000009
【図８】
2009224079.tif 000010
【図９】
2009224079.tif 000011
【図１０】
2009224079.tif 000012